【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
レガシー及び高効率ワイヤレス（ＨＥＷ）デバイスを含むＩＥＥＥ８０２．１１ワイヤレス通信システムにおけるワイヤレス通信の方法であって、
第２の通信の受信を少なくとも部分的に保護するように第１の通信の送信を構成することと、
前記第１の通信を送信することと、前記第１の通信が、前記レガシーデバイスによって復号可能である、
前記第１の通信を送信した後に、前記第２の通信を送信することと、前記第２の通信が、前記ＨＥＷデバイスによって復号可能である、
を備える、方法。
【請求項２】
前記第１の通信が、前記第２の通信のためのフレームまたはプリアンブルの少なくとも一部分を備え、それによって、前記第２の通信の受信を部分的に保護し、
前記第２の通信が、フレームを備える、
請求項１に記載の方法。
【請求項３】
前記第１の通信が、プリアンブルを含んでいるフレームの継続時間よりも長い継続時間を示す前記プリアンブルを備え、それによって、前記第２の通信の受信を部分的に保護する、請求項２に記載の方法。
【請求項４】
前記第２の通信が、物理レイヤコンバージェンスプロトコルデータユニットを備える、請求項１に記載の方法。
【請求項５】
前記第１の通信が、２０ＭＨｚ以上の帯域幅を使用し、前記第２の通信が、２０ＭＨｚよりも小さい帯域幅を使用するか、または
前記第１の通信と前記第２の通信とが、２０ＭＨｚ以上の帯域幅を使用する、
請求項１に記載の方法。
【請求項６】
所定の時間量待った後に第３の通信を送信することをさらに備え、前記第３の通信が、前記ＨＥＷデバイスによって復号可能であり、前記第１の通信の前記送信することが、前記第３の通信の受信を少なくとも部分的に保護するか、または
前記第１の通信の前記送信することが、第１の電力レベルにあり、前記第２の通信の前記送信することが、第２の電力レベルにあり、前記第１の電力レベルが、前記第２の電力レベルよりも大きく、それによって、前記第２の通信の受信を部分的に保護する、
請求項１に記載の方法。
【請求項７】
前記第１の通信が、前記第２の通信のための送信可フレームまたはプリアンブルの一部分を備え、それによって、前記第２の通信の受信を部分的に保護し、前記第２の通信が、送信準備完了フレームを備え、
ここにおいて、前記方法が、
前記ＨＥＷデバイスによって復号可能な後続の送信可フレームを受信するために所定の時間量待つことと、ここにおいて、前記第１の通信の前記送信が、前記後続の送信可フレームの受信を少なくとも部分的に保護する、
前記後続の送信可フレームを受信することかまたは前記所定の時間量待つことの初期の後に、前記ＨＥＷデバイスによって復号可能な物理レイヤコンバージェンスプロトコルデータユニットを送信することと、ここにおいて、前記第１の通信の前記送信が、前記物理レイヤコンバージェンスプロトコルデータユニットの受信を少なくとも部分的に保護する、
をさらに備える、
請求項１に記載の方法。
【請求項８】
レガシー及び高効率ワイヤレス（ＨＥＷ）デバイスを含むＩＥＥＥ８０２．１１ワイヤレス通信システムにおけるワイヤレス通信のために構成された装置であって、
１つまたは複数のプロセッサと、
第２の通信の受信を少なくとも部分的に保護するように第１の通信の送信を構成することと、
前記第１の通信を送信することと、前記第１の通信が、前記レガシーデバイスによって復号可能である、
前記第１の通信を送信した後に、前記第２の通信を送信することと、前記第２の通信が、前記ＨＥＷデバイスによって復号可能である、
を行うように構成されたトランシーバと
を備える、装置。
【請求項９】
前記第１の通信が、前記第２の通信のためのフレームまたはプリアンブルの少なくとも一部分を備え、それによって、前記第２の通信の受信を部分的に保護し、
前記第２の通信が、フレームを備え、
前記第１の通信が、プリアンブルを含んでいるフレームの継続時間よりも長い継続時間を示す前記プリアンブルを備え、それによって、前記第２の通信の受信を部分的に保護する、
請求項８に記載の装置。
【請求項１０】
前記第２の通信が、物理レイヤコンバージェンスプロトコルデータユニットを備える、請求項８に記載の装置。
【請求項１１】
前記第１の通信が、２０ＭＨｚ以上の帯域幅を使用し、前記第２の通信が、２０ＭＨｚよりも小さい帯域幅を使用するか、または
前記第１の通信と前記第２の通信とが、２０ＭＨｚ以上の帯域幅を使用する、請求項８に記載の装置。
【請求項１２】
前記トランシーバが、所定の時間量待った後に第３の通信を送信するようにさらに構成され、前記第３の通信が、前記ＨＥＷデバイスによって復号可能であり、前記第１の通信の前記送信することが、前記第３の通信の受信を少なくとも部分的に保護するか、または
前記第１の通信の前記送信することが、第１の電力レベルにあり、前記第２の通信の前記送信することが、第２の電力レベルにあり、前記第１の電力レベルが、前記第２の電力レベルよりも大きく、それによって、前記第２の通信の受信を部分的に保護する、
請求項８に記載の装置。
【請求項１３】
前記第１の通信が、前記第２の通信のための送信可フレームまたはプリアンブルの一部分を備え、それによって、前記第２の通信の受信を部分的に保護し、
前記第２の通信が、送信準備完了フレームを備え、
前記トランシーバが、
前記ＨＥＷデバイスによって復号可能な後続の送信可フレームを受信するために所定の時間量待つことと、ここにおいて、前記第１の通信の前記送信が、前記後続の送信可フレームの受信を少なくとも部分的に保護する、
前記後続の送信可フレームを受信することかまたは前記所定の時間量待つことの初期の後に、前記ＨＥＷデバイスによって復号可能な物理レイヤコンバージェンスプロトコルデータユニットを送信することと、ここにおいて、前記第１の通信の前記送信が、前記物理レイヤコンバージェンスプロトコルデータユニットの受信を少なくとも部分的に保護する、
を行うようにさらに構成された、
請求項８に記載の装置。
【請求項１４】
第２の通信の受信を少なくとも部分的に保護するように第１の通信の送信を構成するための手段と、
前記第１の通信を送信するための手段と、前記第１の通信が、レガシーデバイスによって復号可能である、
前記第１の通信を送信した後に、前記第２の通信を送信するための手段と、前記第２の通信が、ＨＥＷデバイスによって復号可能である、
を備える装置。
【請求項１５】
１つまたは複数のプロセッサ上で実行されたとき、装置に、
請求項１〜請求項７のうちの何れか一項に記載のステップを実行すること
を行わせるコードを備えるコンピュータプログラム。
【手続補正２】
【補正対象書類名】明細書
【補正対象項目名】０１８６
【補正方法】変更
【補正の内容】
【０１８６】
[00205]上記は本開示の態様を対象とするが、本開示の他の態様およびさらなる態様は、それの基本的範囲から逸脱することなく考案され得、それの範囲は以下の特許請求の範囲によって決定される。
以下に本願の出願当初の特許請求の範囲に記載された発明を付記する。
［Ｃ１］
レガシー及び高効率ワイヤレス（ＨＥＷ）デバイスを含むＩＥＥＥ８０２．１１ワイヤレス通信システムにおけるワイヤレス通信の方法であって、
第２の通信の受信を少なくとも部分的に保護するように第１の通信の送信を構成することと、
前記第１の通信を送信することと、前記第１の通信が、前記レガシーデバイスによって復号可能である、
前記第２の通信を送信することと、前記第２の通信が、前記ＨＥＷデバイスによって復号可能である、
を備える、方法。
［Ｃ２］
前記第１の通信が、前記第２の通信のためのフレームまたはプリアンブルの少なくとも一部分を備え、それによって、前記第２の通信の受信を部分的に保護し、
前記第２の通信が、フレームを備える、
Ｃ１に記載の方法。
［Ｃ３］
前記第１の通信が、プリアンブルを含んでいるフレームの継続時間よりも長い継続時間を示す前記プリアンブルを備え、それによって、前記第２の通信の受信を部分的に保護する、Ｃ２に記載の方法。
［Ｃ４］
前記第２の通信が、物理レイヤコンバージェンスプロトコルデータユニットを備える、Ｃ１に記載の方法。
［Ｃ５］
前記第１の通信が、２０ＭＨｚ以上の帯域幅を使用し、前記第２の通信が、２０ＭＨｚよりも小さい帯域幅を使用する、Ｃ１に記載の方法。
［Ｃ６］
前記第１の通信と前記第２の通信とが、２０ＭＨｚ以上の帯域幅を使用する、Ｃ１に記載の方法。
［Ｃ７］
所定の時間量待った後に第３の通信を送信することをさらに備え、前記第３の通信が、前記ＨＥＷデバイスによって復号可能であり、前記第１の通信の前記送信することが、前記第３の通信の受信を少なくとも部分的に保護する、Ｃ１に記載の方法。
［Ｃ８］
前記第１の通信の前記送信することが、第１の電力レベルにあり、前記第２の通信の前記送信することが、第２の電力レベルにあり、前記第１の電力レベルが、前記第２の電力レベルよりも大きく、それによって、前記第２の通信の受信を部分的に保護する、Ｃ１に記載の方法。
［Ｃ９］
前記第１の通信が、前記第２の通信のための送信可フレームまたはプリアンブルの一部分を備え、それによって、前記第２の通信の受信を部分的に保護し、
前記第２の通信が、送信準備完了フレームを備える、
Ｃ１に記載の方法。
［Ｃ１０］
前記方法が、
前記ＨＥＷデバイスによって復号可能な後続の送信可フレームを受信するために所定の時間量待つことと、ここにおいて、前記第１の通信の前記送信が、前記後続の送信可フレームの受信を少なくとも部分的に保護する、
前記後続の送信可フレームを受信することかまたは前記所定の時間量待つことの初期の後に、前記ＨＥＷデバイスによって復号可能な物理レイヤコンバージェンスプロトコルデータユニットを送信することと、ここにおいて、前記第１の通信の前記送信が、前記物理レイヤコンバージェンスプロトコルデータユニットの受信を少なくとも部分的に保護する、
をさらに備える、Ｃ９に記載の方法。
［Ｃ１１］
レガシー及び高効率ワイヤレス（ＨＥＷ）デバイスを含むＩＥＥＥ８０２．１１ワイヤレス通信システムにおけるワイヤレス通信のために構成された装置であって、
１つまたは複数のプロセッサと、
第２の通信の受信を少なくとも部分的に保護するように第１の通信の送信を構成することと、
前記第１の通信を送信することと、前記第１の通信が、前記レガシーデバイスによって復号可能である、
前記第２の通信を送信することと、前記第２の通信が、前記ＨＥＷデバイスによって復号可能である、
を行うように構成されたトランシーバと
を備える、装置。
［Ｃ１２］
前記第１の通信が、前記第２の通信のためのフレームまたはプリアンブルの少なくとも一部分を備え、それによって、前記第２の通信の受信を部分的に保護し、
前記第２の通信が、フレームを備える、
Ｃ１１に記載の装置。
［Ｃ１３］
前記第１の通信が、プリアンブルを含んでいるフレームの継続時間よりも長い継続時間を示す前記プリアンブルを備え、それによって、前記第２の通信の受信を部分的に保護する、Ｃ１２に記載の装置。
［Ｃ１４］
前記第２の通信が、物理レイヤコンバージェンスプロトコルデータユニットを備える、Ｃ１１に記載の装置。
［Ｃ１５］
前記第１の通信が、２０ＭＨｚ以上の帯域幅を使用し、前記第２の通信が、２０ＭＨｚよりも小さい帯域幅を使用する、Ｃ１１に記載の装置。
［Ｃ１６］
前記第１の通信と前記第２の通信とが、２０ＭＨｚ以上の帯域幅を使用する、Ｃ１１に記載の装置。
［Ｃ１７］
前記トランシーバが、所定の時間量待った後に第３の通信を送信するようにさらに構成され、前記第３の通信が、前記ＨＥＷデバイスによって復号可能であり、前記第１の通信の前記送信することが、前記第３の通信の受信を少なくとも部分的に保護する、Ｃ１１に記載の装置。
［Ｃ１８］
前記第１の通信の前記送信することが、第１の電力レベルにあり、前記第２の通信の前記送信することが、第２の電力レベルにあり、前記第１の電力レベルが、前記第２の電力レベルよりも大きく、それによって、前記第２の通信の受信を部分的に保護する、Ｃ１１に記載の装置。
［Ｃ１９］
前記第１の通信が、前記第２の通信のための送信可フレームまたはプリアンブルの一部分を備え、それによって、前記第２の通信の受信を部分的に保護し、
前記第２の通信が、送信準備完了フレームを備える、
Ｃ１１に記載の装置。
［Ｃ２０］
前記トランシーバが、
前記ＨＥＷデバイスによって復号可能な後続の送信可フレームを受信するために所定の時間量待つことと、ここにおいて、前記第１の通信の前記送信が、前記後続の送信可フレームの受信を少なくとも部分的に保護する、
前記後続の送信可フレームを受信することかまたは前記所定の時間量待つことの初期の後に、前記ＨＥＷデバイスによって復号可能な物理レイヤコンバージェンスプロトコルデータユニットを送信することと、ここにおいて、前記第１の通信の前記送信が、前記物理レイヤコンバージェンスプロトコルデータユニットの受信を少なくとも部分的に保護する、
を行うようにさらに構成された、Ｃ１９に記載の装置。
［Ｃ２１］
第２の通信の受信を少なくとも部分的に保護するように第１の通信の送信を構成するための手段と、
前記第１の通信を送信するための手段と、前記第１の通信が、レガシーデバイスによって復号可能である、
前記第２の通信を送信するための手段と、前記第２の通信が、ＨＥＷデバイスによって復号可能である、
を備える装置。
［Ｃ２２］
１つまたは複数のプロセッサ上で実行されたとき、装置に、
第２の通信の受信を少なくとも部分的に保護するように第１の通信の送信を構成することと、
前記第１の通信を送信することと、前記第１の通信が、レガシーデバイスによって復号可能である、
前記第２の通信を送信することと、前記第２の通信が、ＨＥＷデバイスによって復号可能である、
を行わせるコードを備える、非一時的コンピュータ可読記憶媒体。